(57)【特許請求の範囲】
【請求項１】
妻側壁上端面に沿って配置される、軒側先端を屋根の勾配に合わせて斜めにカットされた陸梁と、該陸梁端部に結合されて屋根の勾配に合わせて配置される合掌と、前記陸梁と前記合掌との間に三角形トラスを形成するように傾斜に合わせて斜めにカットされる斜材と、前記陸梁と前記合掌、前記陸梁と前記斜材、前記合掌と前記斜材をそれぞれ突き当り結合し、前記陸梁と前記合掌、前記陸梁と前記斜材、前記合掌と前記斜材を挟持して接着固定する結合板とから構成され、構造強度計算を行い、前記陸梁と前記合掌、前記陸梁と前記斜材、前記合掌と前記斜材のそれぞれに両面から釘を複数本×複数列を打ち込み固定したことを特徴とする木造トラス建物。
【請求項２】
妻側壁上端面に沿って配置される、軒側先端を屋根の勾配に合わせて斜めにカットされた陸梁と、該陸梁端部に結合されて屋根の勾配に合わせて配置される合掌と、前記陸梁と前記合掌との間に三角形トラスを形成するように傾斜に合わせて斜めにカットされる斜材と、前記陸梁と前記合掌、前記陸梁と前記斜材、前記合掌と前記斜材をそれぞれ突き当り結合し、前記陸梁と前記合掌、前記陸梁と前記斜材、前記合掌と前記斜材を挟持する結合板とから構成され、前記陸梁と前記合掌、前記陸梁と前記斜材、前記合掌と前記斜材をそれぞれ両側から接着剤を塗布した結合板で挟持し、さらに構造強度計算を行い、前記陸梁と前記合掌、前記陸梁と前記斜材、前記合掌と前記斜材のそれぞれに両面から釘を複数本×複数列を打ち込み固定することを特徴とする木造トラス建物の組立方法。
【発明の詳細な説明】
【技術分野】
【０００１】
本発明は、アンモニアガスの発生が多い畜舎・堆肥醗酵舎などの建物に有効な木造トラス建物に関する。
【背景技術】
【０００２】
畜舎・堆肥醗酵舎は、アンモニアガスの発生が多く、鉄骨造りは非常に錆び易く、また従来工法の木造畜舎の木材接合は、ピン接合なので引張・圧縮による形状変化が出やすいものであった。
従来、木造構造物として木製トラス構造が非常に広く用いられている。その理由は、木製トラス構造はきわめて簡単に構成することが可能な上に非常に大きい荷重を支持することができるからである。
【０００３】
そのため、三角形トラスの屋根用の骨組みを構成する木造トラス組構造が知られている（引用文献１を参照）。
この公知技術は、各梁材は、互いに釘留めされた少なくとも三つの基本板材から構成され、中央部に位置した板材は両側の板材に対してオフセットされ、これによって節点を形成する結合部にパネル形態の補強体を挿入するためほぞ及び／又はほぞ穴を形成するものであり、接合部位（節点）において接合されたパネルが釘留め領域を補足して、より大きな力に対して抗することができるものである。
【０００４】
また、骨組み構造体を主構造とした屋根部によって躯体構造部の変形を抑制させることで、躯体構造部の補強を必要としない複合構造建物が知られている（引用文献２を参照）。
この公知技術は、トラスを主構造として形成される屋根部と、その屋根部を下方から支持する鉄筋コンクリートによって形成されるＲＣ部とからなる複合構造建物であり、トラスは桁側壁の上端面間に掛け渡されて固定される複数の陸梁を備えると共に、桁側壁の上端面及び妻側壁の上端面の少なくとも一端面を補強するために陸梁の少なくとも一部を組み入れた水平トラス構造を形成しているものである。
【先行技術文献】
【特許文献】
【０００５】
【特許文献１】特表２００２−５３１７３１号公報
【特許文献２】特開２００７−２２４５８６号公報
【発明の概要】
【発明が解決しようとする課題】
【０００６】
本発明は、アンモニアガスの発生が多い畜舎・堆肥醗酵舎などの建物に有効な三角形トラスの屋根用の骨組みを構成する木造トラス建物を提供することを目的とする。
【課題を解決するための手段】
【０００７】
本発明の木造トラス建物は、妻側壁上端面に沿って配置される陸梁と、該陸梁端部に結合されて屋根の勾配に合わせて配置される合掌と、前記陸梁と前記合掌との間に三角形トラスを形成するように斜めに配置される斜材と、前記陸梁と前記合掌、前記陸梁と前記斜材、前記合掌と前記斜材をそれぞれ突き当り結合し、それぞれを挟持して接着・釘留めにより固定する結合板とから構成されるものである。
本発明の木造トラス建物の組立方法は、陸梁と合掌、陸梁と斜材、合掌と斜材との接合部に固定される結合板で前記陸梁と前記合掌、前記陸梁と前記斜材、前記合掌と前記斜材を挟持し、それぞれ接着剤により固定し、さらに構造強度計算を行い、両面から釘を複数本×複数列を打ち込むものである。
【発明の効果】
【０００８】
本発明の木造トラス建物は、妻側壁上端面に沿って配置される陸梁と、該陸梁端部に結合されて屋根の勾配に合わせて配置される合掌と、前記陸梁と前記合掌との間に三角形トラスを形成するように斜めに配置される斜材と、前記陸梁と前記合掌、前記陸梁と前記斜材、前記合掌と前記斜材をそれぞれ突き当り結合し、それぞれを挟持して接着・釘留めにより固定する結合板とから構成されるため、トラス形状として木材接合部を剛接合により引張・圧縮による形状変化を出にくくし、更に接合部（節点）の部材を金物ではなく、構造用合板として錆への対応をとってあり、また接合部（節点）には接着剤の塗布を行い強度の確保を行うことができる。
本発明の木造トラス建物の組立方法は、構造計算上は接着剤での計算はできないので、釘打ちにより構造強度計算をクリアし、更に接着剤により接合補強を行い、釘の劣化が進んでも急激な強度低下が起こらないものである。
【図面の簡単な説明】
【０００９】
【図１】本発明の木造トラス建物の片側概略構成を説明する正面図である。
【図２】本発明の木造トラス建物の概略構成を説明する側面図である。
【発明を実施するための形態】
【００１０】
本発明の木造トラス建物の一実施例を添付図面に基づいて、以下に説明する。
図１の片側正面図に示すように、本発明の木造トラス建物の屋根構造は、妻側壁上端面に沿って配置される陸梁１と、該陸梁１端部に結合されて屋根の勾配に合わせて配置される合掌２と、前記陸梁１と前記合掌２との間に三角形トラスを形成するように斜めに配置される斜材３と、前記陸梁１と前記合掌２、前記陸梁１と前記斜材３、前記合掌２と前記斜材３をそれぞれ突き当り結合し、それぞれを挟持して接着・釘留めにより固定する結合板４とから構成される。
【００１１】
前記陸梁１は、所定厚さの細長板材や細長集成材から成り、建物の妻側壁上端面に沿って桁方向に等間隔で多数水平に並列配置される。前記陸梁１の軒側先端は、屋根の勾配に合わせて斜めにカットされ、該カット面が後述する合掌２の下面に突合せ結合される。
【００１２】
前記合掌２は、所定厚さの細長板材や細長集成材から成り、前記陸梁１に結合され、前記陸梁１と同位置、同間隔で屋根の勾配に合わせて多数斜め上向きに配置される。前記合掌２の軒側先端は、前記陸梁１より下方へ突出される。
【００１３】
前記斜材３は、所定厚さの細長板材や細長集成材から成り、前記陸梁１と前記合掌２との間に三角形トラスを形成するように、それぞれ長さの違う第１斜材５、第２斜材６、第３斜材７、第４斜材８、第５斜材９、第６斜材１０を前記陸梁１と前記合掌２との傾斜に合わせて斜めにカットされ、前記第１斜材５、第２斜材６、第３斜材７、第４斜材８、第５斜材９、第６斜材１０がそれぞれ前記陸梁１と前記合掌２と突合せ結合され、斜めに三角形トラスを形成するように突合せ配置される。
【００１４】
前記結合板４は、正方形、長方形、台形などの両面構造用合板から成り、前記陸梁１と前記合掌２、前記陸梁１と前記斜材３、前記合掌２と前記斜材３を両側から挟持し、それぞれ接着剤により固定し、更に釘留めにより固定する。
前記陸梁１と前記合掌２との接合部（節点）に固定される結合板４は、ほぼ台形状をなし、前記陸梁１と前記合掌２を結合板４で挟持し、それぞれ接着剤により固定し、さらに強度計算を行い、両面から釘を約５本×１１列を打ち込む。
前記陸梁と前記斜材や前記合掌と前記斜材との接合部（節点）に固定される結合板は、ほぼ正方形や長方形をなし、前記陸梁と前記斜材や前記合掌と前記斜材を結合板で挟持し、それぞれ接着剤により固定し、さらに構造強度計算を行い、釘１１を斜材３両面に５本×３列や陸梁１両面及び合掌２両面に３本×５列を打ち込む。
【００１５】
さらに、棟部の前記合掌２と前記斜材３との接合部（節点）に固定される結合板４は、ほぼ五角形をなし、前記合掌２と前記斜材３を結合板４で挟持し、それぞれ接着剤により固定し、さらに構造強度計算を行い、釘１１を斜材３両面に６本×４列や合掌２両面に５本×６列を打ち込む。
なお、陸梁１同士及び合掌２同士の繋ぎ部に固定される結合板４は、長方形をなし、前記陸梁１同士と前記合掌２同士を結合板４で挟持し、それぞれ接着剤により固定し、さらに構造強度計算を行い、釘１１を陸梁１同士両面に５本×９列や合掌２同士両面に５本×６列を打ち込む。
なお、釘・合板の劣化防止対策として接合部表面のシーラー処理を行う。
【００１６】
次に、本発明の木造トラス建物の屋根構造の組み立てを添付図面に基づいて、以下に説明する。
図１に示すように、陸梁１を屋根の勾配に合わせて先端をカットし、前記陸梁１のカット面と合掌２の下面とを突き合わせ結合し、接着剤を塗布した台形状の結合板４を前記陸梁１と前記合掌２との接合部（節点）に両側からサンドイッチ状に接着固定し、さらに釘１１を結合板４両面から前記陸梁１と前記合掌２に約５本×１１列を打ち込むことにより強固に固定する。
【００１７】
次に、前記陸梁１と前記合掌２との間に三角形トラスを形成するように、第１斜材５の両端をそれぞれ陸梁１及び合掌２の角度に合わせてカットし、前記第１斜材５のカット面とそれぞれ陸梁１上面及び合掌２下面とを突き合わせ結合し、接着剤を塗布した結合板４を前記陸梁１と前記合掌２との接合部（節点）に両側からサンドイッチ状に接着固定し、さらに釘１１を斜材３両面に５本×３列や陸梁１両面及び合掌２両面に３本×５列を打ち込むことにより強固に固定する。
【００１８】
以下、同様にして、第２斜材６、第３斜材７、第４斜材８、第５斜材９、第６斜材１０を突合せ結合、サンドイッチ状接着、釘留めを行い、前記第２斜材６、第３斜材７、第４斜材８、第５斜材９、第６斜材１０をそれぞれ陸梁１及び合掌２に固定し、三角形トラスを形成する。
【００１９】
さらに、アンモニアガスの発生が多い畜舎・堆肥醗酵舎などの建物の場合には、屋根の棟部分に直立材１２により立ち上げた２階建ての陸梁１及び合掌２を形成し、同様にして結合板４により突合せ結合、サンドイッチ状接着、釘留めを行い、小屋根を形成する。
前記小屋根は、前記木造トラス建物の棟部分に開口窓（図示せず）を形成し、発生したアンモニアガスを排出するためのものである。
【符号の説明】
【００２０】
１  陸梁
２  合掌
３  斜材
４  結合板
５  第１斜材
６  第２斜材
７  第３斜材
８  第４斜材
９  第５斜材
１０  第６斜材
１１  釘
１２  直立材
【図１】
0005436962.tif 000002
【図２】
0005436962.tif 000003